(57)【要約】【課題】冷蔵庫内の冷気の無駄な排出を抑制する。【解決手段】冷蔵庫10の開閉扉11dに正面視矩形形状の貫通穴16を設け、この貫通穴16の一方の側縁部に軸支した更にもう１つの第二開閉扉20を軸支し、冷蔵庫10の扉部を二重扉に形成した。第二開閉扉20の全部又は一部を透明に形成することもできる。第二開閉扉20の内側周縁部と、この内側周縁部を受ける開閉扉11dの接合受部のそれぞれに封止部材を設け、これらの内側周縁部又は接合受部の何れか一方に突条部を設け、この突条部と適合する凹条部を接合受部又は内側周縁部に設け、第二開閉扉20の気密性を向上させた。【選択図】図２
2016056960.tif 000002
【特許請求の範囲】
【請求項１】
少なくとも１つの冷蔵室又は冷凍室を有し、且つ、少なくとも１つの開閉扉が一方の側縁部で回動自在に軸支された冷蔵庫において、
前記開閉扉に正面視矩形形状の貫通穴を設け、この貫通穴の一方の側縁部に更にもう１つの第二開閉扉を軸支し、冷蔵庫の扉部を二重扉に形成したことを特徴とする二重扉付き冷蔵庫。
【請求項２】
前記第二開閉扉の全部又は一部を透明に形成したことを特徴とする請求項１に記載の二重扉付き冷蔵庫。
【請求項３】
前記第二開閉扉の内側周縁部と、この内側周縁部を受ける前記開閉扉の接合受部のそれぞれに封止部材を設け、これらの内側周縁部又は接合受部の何れか一方に突条部を設け、この突条部と適合する凹条部を接合受部又は内側周縁部に設け、第二開閉扉の気密性を向上させたことを特徴とする請求項１又は２に記載の二重扉付き冷蔵庫。
【発明の詳細な説明】
【技術分野】
【０００１】
本発明は、家庭用又は業務用の冷蔵庫に関するものであって、とりわけその扉の構造に特徴を有するものに関する。
【背景技術】
【０００２】
従来の関連する冷蔵庫としては、下記の特許文献に記載のものを挙げることができる。
特許文献１に記載の発明においては、従来の冷蔵庫の扉の内側ポケットは二重構造であるため、奥のポケットの物の出し入れが不便であり、扉の内側に二重ポケットが張り出し食品貯蔵室に対する食品の出し入れが邪魔になり、更に扉全体の荷重が大きくなり過ぎる等の問題があり、このような問題点を解決し、冷蔵庫の使用性の向上を図り、また扉の開閉の際の冷気漏れを少なくできる冷蔵庫を提供することを課題とするものである。
【０００３】
その解決手段としては、食品貯蔵室の前面開口よりも若干食品貯蔵室の内側に入った位置で、観音開き状に開閉するように軸支された内扉を設け、内扉の表側には食料品や容器入り飲料等を収納する内ポケットを設け、内扉が９０度開いた状態で表側の内ポケットの前端が食品貯蔵室の側壁から若干離れた状態を確保する位置に内扉の回動中心を設けたものである。
【０００４】
他方、特許文献２に記載の発明においては、従来の冷蔵庫は、使用頻度の高い扉の開閉に際して、冷蔵庫本体内の冷気を遮断する手段がなく、扉に収納されている飲料品等の取出しの扉開閉で冷蔵庫本体内の冷気が大量に冷蔵庫外に排出されて、消費電力量が多かったという問題を抱えていたが、これを解決することをその課題とする。
【０００５】
その解決手段としては、正面開口部を有する庫本体と前記正面開口部を開閉する扉とを有する冷蔵庫において、正面開口部を開閉する枠体開口部を設けた枠体と、枠体パッキンと、枠体取手と、枠体開口部の全面を覆うカバーと、枠体開口部を開閉する扉と、扉パッキンと、扉取手と、扉に飲み物等を収納するために設けたポケットと、扉に卵等を収納するために設けた棚と、からなることを特徴とする二重扉構造の冷蔵庫としたものである。
これにより、扉開閉で冷蔵庫本体内の冷気が大量に冷蔵庫外に排出されることを防止して、冷蔵庫の電気消費量を少なくすることができるものである。
【先行技術文献】
【特許文献】
【０００６】
【特許文献１】特開２００１−２８０８２０号公報
【特許文献２】特開２００６−３８４３７号公報
【発明の概要】
【発明が解決しようとする課題】
【０００７】
本発明においても、上記従来の冷蔵庫のような二重扉形式の冷蔵庫を提案することをその課題とするが、これら従来の二重扉と異なる構造のものを創案し、より冷気が庫外に逃げないような構造を有する二重扉付き冷蔵庫の提案をその課題としている。
また、冷蔵庫内を外部から見通せるような扉を設けることもその課題とする。
更に、二重扉のパッキン部（封止部材）の改良をし、その気密性を向上させることもその課題である。
【課題を解決するための手段】
【０００８】
上記課題を解決するために、本発明の第１のものは、少なくとも１つの冷蔵室又は冷凍室を有し、且つ、少なくとも１つの開閉扉が一方の側縁部で回動自在に軸支された冷蔵庫において、前記開閉扉に正面視矩形形状の貫通穴を設け、この貫通穴の一方の側縁部に更にもう１つの第二開閉扉を軸支し、冷蔵庫の扉部を二重扉に形成したことを特徴とする二重扉付き冷蔵庫である。
【０００９】
本発明の第２のものは、上記第１の発明において、前記第二開閉扉の全部又は一部を透明に形成したことを特徴とする二重扉付き冷蔵庫である。
【００１０】
本発明の第３のものは、上記第１又は第２の発明において、前記第二開閉扉の内側周縁部と、この内側周縁部を受ける前記開閉扉の接合受部のそれぞれに封止部材を設け、これらの内側周縁部又は接合受部の何れか一方に突条部を設け、この突条部と適合する凹条部を接合受部又は内側周縁部に設け、第二開閉扉の気密性を向上させたことを特徴とする二重扉付き冷蔵庫である。
【発明の効果】
【００１１】
本発明の第１のものにおいては、少なくとも１つの冷蔵室又は冷凍室を有し、且つ、少なくとも１つの開閉扉が一方の側縁部で回動自在に軸支された冷蔵庫において、前記開閉扉に正面視矩形形状の貫通穴を設け、この貫通穴の一方の側縁部に更にもう１つの第二開閉扉を軸支し、冷蔵庫の扉部を二重扉に形成したことを特徴とするものであり、この第二開閉扉の存在により、冷蔵庫の開閉扉を開放することなく、当該開閉扉の内側に設けられた収納部に収納された各種のボトル類を上記第二開閉扉を開けるのみで容易に取り出すことができることとなるのである。
【００１２】
即ち、開閉扉の全体を開放することなく、それよりも小さい第二開閉扉を開けるだけでボトル類を取り出すことができ、これにより庫内の冷気の排出を最小限に抑えることができ、それ故、省エネ、省資源にも寄与することとなるのである。
【００１３】
本発明の第２のものにおいては、上記第１の発明において、前記第二開閉扉の全部又は一部を透明に形成したことを特徴とするものである。
これにより、庫内の飲料や食品等を外部から視認することができる。
【００１４】
本発明の第３のものにあっては、前記第二開閉扉の内側周縁部と、当該内側周縁部を受ける前記開閉扉の接合受部のそれぞれに封止部材を設け、これらの内側周縁部又は接合受部の何れか一方に突条部を設け、この突条部と適合する凹条部を接合受部又は内側周縁部に設け、これら両者の封止部材の構造により第二開閉扉の気密性を向上させたものである。
【図面の簡単な説明】
【００１５】
【図１】本発明に係る二重扉付き冷蔵庫の一実施形態を示す説明図である。
【図２】上記実施形態に係る冷蔵庫の開閉扉及び第二開閉扉を少し開放した状態を示す拡大説明図である。
【図３】上記実施形態に係る第二開閉扉を大きく開放して、その内側構造と開閉扉の貫通穴を図示した説明図である。
【図４】図３のＳ−Ｓ線断面図であって、第二開閉扉を閉鎖した状態を図示したものである。
【発明を実施するための形態】
【００１６】
図１は、本発明に係る二重扉付き冷蔵庫の一実施形態を示す説明図である。
この二重扉付き冷蔵庫１０は、上方の冷蔵室１１と下方の冷凍室１２の２つの収納室を有し、上方の冷蔵室１１には右側側縁部が軸支された開閉式の開閉扉１１ｄが設けられ、下方の冷凍室１２は、引き出し式の構造を有している。
【００１７】
開閉扉１１ｄの左側縁に沿って縦方向に取手１３が設けられ、この取手１３を把持して右側縁部を回動中心として、この開閉扉１１ｄが開閉される。
この開閉扉１１ｄの内側周縁部には封止部材としてのパッキンが設けられ、このパッキンと接合する封止部材としてのパッキンが冷蔵室の開口部の周縁部にも設けられ、相互に接合することにより密閉される構造は、従来のものと同じである。
【００１８】
また、この開閉扉１１ｄの内側には、各種飲料、調味料、鶏卵等々が収納できる収納部が設けられている点も従来の冷蔵庫の開閉扉と同じである。
その他、本発明に係る開閉扉１１ｄ以外の構成は、従来の冷蔵庫と同じである。
【００１９】
本発明においては、この開閉扉１１ｄの略中央部に矩形形状の貫通穴を形成し、この貫通穴に第２の開閉扉である第二開閉扉２０を設けている点が特徴である。
この第二開閉扉２０も、その右側縁部が前記開閉扉１１ｄに軸支されて回動し、開閉自在に形成されている。
【００２０】
この第二開閉扉２０も、その左側縁部に取手２３を設け、この取手２３に手を掛けて開閉させることができる。
また、この第二開閉扉２０の略中央部には窓部２２を形成しており、この窓部２２は、断熱性能を有する透明の合成樹脂製のものから形成されている。
【００２１】
この窓部２２の存在により、開閉扉１１ｄの内側に設けられた収納部に収納された各種の飲料、調味料等々の存在を開閉扉１１ｄ及び第二開閉扉２０を閉鎖したままの状態で外部から目視することができることとなる。
この窓部２２の縦横の大きさは全く自由に設計することができ、この窓部２２は矩形形状でなく、円形又は楕円形形状であってもよい。
【００２２】
図２は、上記実施形態に係る冷蔵庫の開閉扉及び第二開閉扉を少し開放した状態を示す拡大説明図である。
この図から良く解る通り、開閉扉１１ｄは、その右側縁部で軸支され、右側に回動して開放される。
【００２３】
開閉扉１１ｄの内側には、各種飲料、調味料、鶏卵等々を収納できる棚形式の収納部１５が複数段に形成されている。
この開閉扉１１ｄの略中央部に矩形形状の貫通穴１６を形成し、この貫通穴１６の部分に第二開閉扉２０を設けている。
【００２４】
この第二開閉扉２０は、上記した通り、その右側縁部で軸支され、上記開閉扉１１ｄと同様に右側に回動して開放される。
尚、この図２では、第二開閉扉２０の窓部の図示は省略している。
勿論、この窓部を形成せずに本発明に係る冷蔵庫を製作することができることは当然のことである。
【００２５】
第二開閉扉２０の左側縁部には取手２３を設けており、この取手２３を把持して第二開閉扉２０を開閉させることができる。
この第二開閉扉２０のみを開放することによって、開閉扉１１ｄを閉鎖したままにその内側に設けられた収納部１５から各種の飲料や調味料等々を取り出すことが出来るのである。
【００２６】
第二開閉扉２０の内側周縁部には封止部材としてのパッキンが設けられ、これに接合する封止部材としてのパッキンは、開閉扉１１ｄの貫通穴１６の周縁部にも設けられているが、これについては、次の図３により説明する
【００２７】
図３は、上記実施形態に係る第二開閉扉を大きく開放して、その内側構造と開閉扉の貫通穴を図示した説明図である。
第二開閉扉２０を大きく開放すると、開閉扉１１ｄの内側の収納部１５に収納された各種飲料や鶏卵等々を容易に取り出すことができる。
【００２８】
そして、この図３から良く解る通り、第二開閉扉２０の内側周縁部の全体には封止部材２０ｐとしての柔軟な合成樹脂製のパッキンが配設されている。
この封止部材２０ｐに接合する封止部材１１ｐとして、やはり柔軟な合成樹脂製のパッキンが開閉扉１１ｄの貫通穴１６の周縁部の全体に設けられ、第二開閉扉２０の密閉性を高めているのである。
【００２９】
図４は、図３のＳ−Ｓ線断面図であって、第二開閉扉を閉鎖した状態を図示したものである。
この図から、前述の封止部材２０ｐ、１１ｐの構造を見て取ることができる。
【００３０】
本発明においては、この第二開閉扉２０の内側全周縁部に設けた封止部材２０ｐと、開閉扉１１ｄの貫通穴１６の全周縁部に設けた封止部材１１ｐとが良好に接合し、密着して、第二開閉扉２０密閉性を高めている。
これら封止部材２０ｐと１１ｐとは、シリコン等の柔軟な合成樹脂製のものから製作しているが、その構造についても特徴がある。
【００３１】
即ち、図４に図示した通り、本発明においては、第二開閉扉２０の封止部材２０ｐの側には突条部を形成し、他方の開閉扉１１ｄの封止部材１１ｐの側には凹条部を形成して、これら突条部と凹条部の適合により、より密閉性を向上させているのである。
【００３２】
この突条部と凹条部との適合は、第二開閉扉２０の内側全周縁部の封止部材２０ｐと、開閉扉１１ｄの貫通穴１６の全周縁部の封止部材１１ｐの全体に渡り設けられている。
この突条部と凹条部は、その何れか一方を第二開閉扉２０に、他方を開閉扉１１ｄの側に設ければよく、何れの側に突条部又は凹条部を設けてもよい。
【００３３】
以上、本発明の一実施形態について説明したが、本発明においては、以下の通り種々その形態を設計変更することができる。
上記実施形態に係る冷蔵庫は家庭用のものであるが、業務用冷蔵庫にも応用することができる。
冷蔵庫全体の大きさは自由に設計変更することができる。
【００３４】
従って、冷蔵庫の収納室は、最低１つあって、それを開閉する開閉扉が最低１つ形成されたものであれば、本発明を適用することができる。
その一つの収納室は、冷蔵室であっても冷凍室であってもよいものである。
【００３５】
第二開閉扉の表面は、開閉扉の表面と面一に形成することもできるし、第二開閉扉の表面が開閉扉の表面よりも外側に出っ張った状態に形成することもでき、その形状は自由に設計変更することができる。
【００３６】
第二開閉扉に形成した窓部の大きさ及び形状も自由に設計することができ、封止部材以外の第二開閉扉の全体を透明体で形成することもできる。
また窓部の形状も、四角、三角、多角形、円、楕円等々、自由に設計変更することができる。
第二開閉扉の左側縁部に設けた取手の形態も自由に設計変更することができる。
【００３７】
第二開閉扉の内側内周縁部に設けた封止部材及びこれに接合する開閉扉の貫通穴の周縁部に設けた封止部材の材質及び構造も自由に設計変更することができる。
特に、これら封止部材に設けた突条部と凹条部は、第二開閉扉又は開閉扉の何れの側に設けるのも自由である。
【００３８】
以上、本発明においては、独特な創案に基づき、冷蔵庫の開閉扉に更に第二開閉扉を設け、開閉扉の開閉を最小限に止めることにより、冷蔵庫内の冷気の無駄な排出を抑制し、省エネ・省資源に寄与できる冷蔵庫を提案することができたものである。
【符号の説明】
【００３９】
１０  冷蔵庫
１１  冷蔵室
１１ｄ  開閉扉
１１ｐ  封止部材
１２  冷凍室
１３、２３  取手
１５  収納部
１６  貫通穴
２０  第二開閉扉
２２  窓部
２０ｐ  封止部材
【図１】
2016056960.tif 000003
【図２】
2016056960.tif 000004
【図３】
2016056960.tif 000005
【図４】
2016056960.tif 000006